(57)【要約】【課題】トレーニング器具を使用するユーザの利便性を向上させる。【解決手段】トレーニング管理システム１は、トレーニング管理サーバ２と、ユーザＵによって携帯された送信機３と、トレーニング器具５に関連付けられたトレーニング器具制御装置４とを備える。トレーニング器具制御装置４は、送信機３のチャンネルを示す情報を識別し、トレーニング器具５の識別情報と送信機３のチャンネルを示す情報をトレーニング管理サーバ２に送信する。トレーニング管理サーバ２は、ユーザＵと送信機３とを関連付け、トレーニング器具５の識別情報と送信機３のチャンネルを示す情報とに基づいて、ユーザＵとトレーニング器具５とを関連付ける。【選択図】図１
2018081362.tif 000002
【特許請求の範囲】
【請求項１】
トレーニング管理サーバと、所定のユーザによって携帯された送信機と、トレーニング器具に関連付けられたトレーニング器具制御装置とを備えたトレーニング管理システムであって、
前記トレーニング器具制御装置は、
前記送信機の識別情報を認識し、
前記トレーニング器具の識別情報と前記送信機の識別情報を前記トレーニング管理サーバに送信し、
前記トレーニング管理サーバは、
前記所定のユーザと前記送信機とを関連付け、
前記トレーニング器具の識別情報と前記送信機の識別情報とに基づいて、前記所定のユーザと前記トレーニング器具とを関連付ける、
トレーニング管理システム。
【請求項２】
前記トレーニング器具制御装置は、前記送信機から前記送信機の識別情報を受信することで、前記送信機の識別情報を認識する、請求項１に記載のトレーニング管理システム。
【請求項３】
前記トレーニング管理サーバは、
前記所定のユーザに対応する前記トレーニング器具のトレーニングプログラムを前記トレーニング器具制御装置に送信し、
前記トレーニング器具制御装置は、
前記受信したトレーニングプログラムを用いて前記トレーニング器具を制御する、
請求項１又は２に記載のトレーニング管理システム。
【請求項４】
前記トレーニング管理サーバは、
前記所定のユーザのトレーニング履歴に基づいて、前記所定のユーザに対応するトレーニング器具のトレーニングプログラムを自動的に生成する、請求項１から３のうちいずれか一項に記載のトレーニング管理システム。
【請求項５】
前記トレーニング器具制御装置は、
前記所定のユーザが前記トレーニング器具の使用を終了したことを示すトレーニング終了信号を生成すると共に、当該トレーニング終了信号を前記トレーニング管理サーバに送信し、
前記トレーニング管理サーバは、
前記受信したトレーニング終了信号に応じて、前記所定のユーザと前記トレーニング器具との関連付けを切り離す、
請求項１から４のうちいずれか一項に記載のトレーニング管理システム。
【請求項６】
前記トレーニング器具制御装置は、
前記送信機から送信された識別情報を示す識別信号の強度と所定閾値との比較に基づいて前記トレーニング終了信号を生成する、
請求項５に記載のトレーニング管理システム。
【請求項７】
前記トレーニング器具制御装置は、
前記所定のユーザが前記トレーニング器具の使用を終了するための所定の操作を実行した場合に、前記トレーニング終了信号を生成する、
請求項５に記載のトレーニング管理システム。
【請求項８】
前記トレーニング器具制御装置は、
複数の送信機の各々から前記送信機の識別情報を示す識別信号を受信した場合、前記受信した複数の識別信号のうち最も強度の強い識別信号を選択した上で、当該選択された識別信号により示された識別情報を前記トレーニング管理サーバに送信する、
請求項１から７のうちいずれか一項に記載のトレーニング管理システム。
【請求項９】
前記トレーニング器具制御装置は、
前記複数の送信機の各々から前記送信機の識別情報を受信した場合、
前記所定のユーザからの所定の操作に応じて、前記複数の識別情報のうちの一つを選択し、
当該選択された識別情報を前記トレーニング管理サーバに送信する、
請求項１から７のうちいずれか一項に記載のトレーニング管理システム。
【請求項１０】
前記トレーニング器具及び前記トレーニング器具制御装置のうち少なくとも一方は、第１表示部を備え、
前記トレーニング器具制御装置は、
前記トレーニング管理サーバから、複数のユーザと複数の送信機との間の関連性を示す情報を受信し、
前記複数の送信機の各々から前記送信機の識別情報を受信した場合、
前記複数の識別情報と、前記複数のユーザと複数の送信機との間の関連性を示す情報とに基づいて、前記トレーニング器具の付近に存在する複数のユーザを特定し、
前記特定された複数のユーザに関する情報を前記第１表示部に表示し、
前記所定のユーザからの所定の操作に応じて、前記複数の識別情報のうちの一つを選択し、
当該選択された識別情報を前記トレーニング管理サーバに送信する、
請求項９に記載のトレーニング管理システム。
【請求項１１】
前記トレーニング器具及び前記トレーニング器具制御装置のうち少なくとも一方は、第１表示部を備え、
前記トレーニング器具制御装置は、
前記複数の送信機の各々から前記送信機の識別情報を受信した場合、
前記複数の送信機に関する情報を前記第１表示部に表示し、
前記所定のユーザからの所定の操作に応じて、前記複数の識別情報のうちの一つを選択し、
当該選択された識別情報を前記トレーニング管理サーバに送信する、
請求項９に記載のトレーニング管理システム。
【請求項１２】
前記トレーニング器具制御装置は、前記トレーニング器具に内蔵されている、又は前記トレーニング器具の付近に配置されている、請求項１から１１のうちいずれか一項に記載のトレーニング管理システム。
【請求項１３】
前記送信機、前記トレーニング器具制御装置及び前記トレーニング器具のうち少なくとも一つは、前記所定のユーザのバイタルデータを取得すると共に、当該取得されたバイタルデータを前記トレーニング管理サーバに送信する、
請求項１から１２のうちいずれか一項に記載のトレーニング管理システム。
【請求項１４】
前記トレーニング管理サーバは、第２表示部を備え、
前記トレーニング管理サーバは、前記受信したバイタルデータを前記第２表示部に表示する、
請求項１３に記載のトレーニング管理システム。
【請求項１５】
プロセッサと、
コンピュータ可読命令を記憶するメモリと、を備えたトレーニング管理サーバであって、
前記コンピュータ可読命令が前記プロセッサにより実行されると、前記トレーニング管理サーバは、
所定のユーザと、前記所定のユーザにより携帯された送信機とを関連付け、
トレーニング器具に関連付けられたトレーニング器具制御装置から、前記トレーニング器具の識別情報と、前記送信機の識別情報を受信し、
前記トレーニング器具の識別情報と前記送信機の識別情報とに基づいて、前記所定のユーザと前記トレーニング器具とを関連付ける、
トレーニング管理サーバ。
【請求項１６】
所定のユーザと、前記所定のユーザにより携帯された送信機とを関連付けるステップと、
トレーニング器具に関連付けられたトレーニング器具制御装置から、前記トレーニング器具の識別情報と、前記送信機の識別情報を受信するステップと、
前記トレーニング器具の識別情報と前記送信機の識別情報とに基づいて、前記所定のユーザと前記トレーニング器具とを関連付けるステップと、
を含む、コンピュータによって実行されるトレーニング管理方法。
【請求項１７】
請求項１６に記載のトレーニング管理方法をコンピュータに実行させるためのプログラム。
【請求項１８】
請求項１７に記載のプログラムが記憶されたコンピュータ読取可能な記憶媒体。
【発明の詳細な説明】
【技術分野】
【０００１】
本開示は、トレーニング管理システムに関する。また、本開示は、トレーニング管理サーバ及びトレーニング管理方法に関する。また、本開示は、トレーニング管理方法を実行するためのプログラム及び当該プログラムが記憶された記憶媒体に関する。
【背景技術】
【０００２】
特許文献１では、来院した患者を特定する患者特定情報を一覧表示する機能と、一覧表示された患者特定情報と医療従事者により患者に割り当てられたトレッドミルやエルゴメータ等の運動負荷装置を特定する機器特定情報とを関連付ける機能を有する管理端末を備えたリハビリテーションシステムが開示されている。
【先行技術文献】
【特許文献】
【０００３】
【特許文献１】特開２０１５−１９１５２４号公報
【発明の概要】
【発明が解決しようとする課題】
【０００４】
しかしながら、特許文献１に記載されたリハビリテーションシステムでは、患者が所定の運動負荷装置を使用する前に、管理端末を管理している医療従事者（管理者）は、管理端末において患者と当該患者が使用する運動負荷装置を手動で事前に関連付ける必要がある。その後、管理端末は、患者に対応する運動負荷装置の運動負荷設定値に応じて、患者に関連付けられた運動負荷装置を制御すると共に、運動負荷装置を使用した患者の運動実績データを取得する。
【０００５】
このため、例えば、所定の患者（所定のユーザ）が現在使用している運動負荷装置（トレーニング器具）をエルゴメータからトレッドミルに変更した場合、管理者又は患者は、運動負荷装置の変更を手動で登録しなければならず、管理負担が大きかった。
【０００６】
本開示は、トレーニング器具を使用するユーザ及び／又は管理者の利便性を向上させることが可能なトレーニング管理システム、トレーニング管理サーバ及びトレーニング管理方法を提供することを目的とする。さらに、本開示は、当該トレーニング管理方法をコンピュータに実行させるためのプログラム及び当該プログラムが記憶されたコンピュータ読取可能な記憶媒体を提供することを目的とする。
【課題を解決するための手段】
【０００７】
本開示の一態様に係るトレーニング管理システムは、トレーニング管理サーバと、所定のユーザによって携帯された送信機と、トレーニング器具に関連付けられたトレーニング器具制御装置とを備える。
前記トレーニング器具制御装置は、
前記送信機の識別情報を認識し、
前記トレーニング器具の識別情報と前記送信機の識別情報を前記トレーニング管理サーバに送信する。
前記トレーニング管理サーバは、
前記所定のユーザと前記送信機とを関連付け、
前記トレーニング器具の識別情報と前記送信機の識別情報とに基づいて、前記所定のユーザと前記トレーニング器具とを関連付ける。
【０００８】
また、本開示の一態様に係るトレーニング管理サーバは、プロセッサと、コンピュータ可読命令を記憶するメモリと、を備える。前記コンピュータ可読命令が前記プロセッサにより実行されると、前記トレーニング管理サーバは、所定のユーザと、前記所定のユーザにより携帯された送信機とを関連付け、トレーニング器具に関連付けられたトレーニング器具制御装置から、前記トレーニング器具の識別情報と、前記送信機の識別情報を受信し、前記トレーニング器具の識別情報と前記送信機の識別情報とに基づいて、前記所定のユーザと前記トレーニング器具とを関連付ける。
【０００９】
また、本開示の一態様に係るトレーニング管理方法は、
所定のユーザと、前記所定のユーザにより携帯された送信機とを関連付けるステップと、
トレーニング器具に関連付けられたトレーニング器具制御装置から、前記トレーニング器具の識別情報と、前記送信機の識別情報を受信するステップと、
前記トレーニング器具の識別情報と前記送信機の識別情報とに基づいて、前記所定のユーザと前記トレーニング器具とを関連付けるステップと、
を含む。また、当該トレーニング管理方法は、コンピュータにより実行される。
【００１０】
また、本開示の一態様に係るコンピュータは、上記トレーニング管理方法をコンピュータに実行させる。
【発明の効果】
【００１１】
本開示によれば、トレーニング器具を使用するユーザ及び／又は管理者の利便性を向上させることが可能なトレーニング管理システム、トレーニング管理サーバ及びトレーニング管理方法を提供することができる。
【図面の簡単な説明】
【００１２】
【図１】本発明の実施形態（以下、単に本実施形態という。）に係るトレーニング管理システムを示す概略図である。
【図２】トレーニング管理サーバのハードウェア構成を示す図である。
【図３】（ａ）は、ユーザ情報管理テーブルの一例を示す図である。（ｂ）は、トレーニングプログラム管理テーブルの一例を示す図である。
【図４】本実施形態に係るトレーニング管理方法を説明するためのシーケンス図である。
【図５】トレーニング管理サーバの表示部に表示されるバイタル情報管理画面の一例を示す図である。
【発明を実施するための形態】
【００１３】
以下、本実施形態について図面を参照しながら説明する。尚、本実施形態の説明において既に説明された要素と同一の参照番号を有する要素については、説明の便宜上、その説明は省略する。本実施形態において、「トレーニング」とは、身体運動を行うことによって人間の体力を高めること若しくはその過程をいう。また、「トレーニング」は、医療用トレーニング（例えば、心臓リハビリテーション等）を含む。また、本実施形態において、「ユーザ」とは、トレーニング器具を利用する者であって、医療用のトレーニングを行う患者を含む。
【００１４】
図１は、本実施形態に係るトレーニング管理システム１を示す概略図である。図１に示すように、トレーニング管理システム１は、トレーニング管理サーバ２と、複数の送信機３ａ，３ｂ，３ｃと、トレーニング器具制御装置４ａ，４ｂ，４ｃと、トレーニング器具（第１トレッドミル５ａ、第２トレッドミル５ｂ及びエルゴメータ５ｃ）とを備える。トレーニング管理システム１は、病院内施設、トレーニング施設、リハビリテーション施設等で利用されるシステムである。トレーニング管理システム１において、ユーザＵ１は、送信機３ａを携帯しており、第１トレッドミル５ａを利用するものとする。ユーザＵ２は、送信機３ｂを携帯しており、第２トレッドミル５ｂを利用するものとする。ユーザＵ３は、送信機３ｃを携帯しており、エルゴメータ５ｃを利用するものとする。以降では、説明の便宜上、送信機３ａ，３ｂ，３ｃを単に送信機３と総称する場合がある。同様に、トレーニング器具制御装置４ａ，４ｂ，４ｃを単にトレーニング器具制御装置４と総称する場合がある。さらに、第１トレッドミル５ａ、第２トレッドミル５ｂ及びエルゴメータ５ｃを単にトレーニング器具５と総称する場合がある。さらに、ユーザＵ１，Ｕ２，Ｕ３を単にユーザＵと総称する場合がある。
【００１５】
トレーニング管理サーバ２は、各ユーザのトレーニングを管理するように構成されており、例えば、管理者Ａによって操作されうる。管理者Ａは、例えば、医療従事者である。トレーニング管理サーバ２では、後述するように、ユーザ情報管理テーブルやトレーニングプログラム管理テーブル（図３参照）が格納されている。トレーニング管理サーバ２は、ユーザＵ１と第１トレッドミル５ａを関連付けるように構成されている。同様に、トレーニング管理サーバ２は、ユーザＵ２と第２トレッドミル５ｂとを関連付けるように構成されている。また、トレーニング管理サーバ２は、ユーザＵ３とエルゴメータ５ｃを関連付けるように構成されている。また、トレーニング管理サーバ２は、トレーニングプログラム（図３（ｂ）参照）を各トレーニング器具制御装置４に送信するように構成されている。例えば、トレーニング管理サーバ２は、ユーザＵ１に対応する第１トレッドミル５ａ用のトレーニングプログラムをトレーニング器具制御装置４ａに送信するように構成されている。
【００１６】
送信機３は、トレーニング管理サーバ２と無線接続されていると共に、ユーザＵのバイタルデータ（心拍数や心電図データ等）を取得するように構成されている。また、送信機３は、ユーザＵから取得されたバイタルデータを無線通信によりトレーニング管理サーバ２に送信するように構成されている。例えば、バイタルデータが心電図データの場合、送信機３ａは、ユーザＵ１の身体に接触した心電図センサ（電極）から電気信号を取得した上で、当該電気信号に基づいて、増幅された心電図信号を生成する。次に、送信機３ａは、増幅された心電図信号をアナログ-デジタル変換（ＡＤ変換）することで、心電図データを生成する。その後、送信機３ａは、当該取得された心電図データを無線通信によりトレーニング管理サーバ２に送信する。
【００１７】
また、送信機３ａから３ｃの各々は、互いに異なる周波数帯（チャンネル）の無線信号を出力するように構成されている。送信機３ａ〜３ｃは、それぞれ第１のチャンネル（ＣＨ１）〜第３のチャンネル（ＣＨ３）の無線信号を出力するように構成されている。本実施形態では、第１のチャンネル（ＣＨ１）〜第３のチャンネル（ＣＨ３）を示す情報がそれぞれ送信機３ａ〜３ｃの識別情報に相当する。尚、送信機３は、ユーザＵに装着されるウェアラブルデバイスやスマートフォン等の携帯型電子機器であってもよい。この場合、送信機３は、送信機３を識別するための識別情報（例えば、送信機のＩＤ、送信機３が無線ＬＡＮ通信をする場合にはＭＡＣアドレス等）を出力してもよい。
【００１８】
トレーニング器具制御装置４は、トレーニング管理サーバ２と有線又は無線によって通信可能に接続されている。トレーニング器具制御装置４は、トレーニング器具５に関連付けられており、トレーニング管理サーバ２から送信されたトレーニングプログラムを用いてトレーニング器具５を制御するように構成されている。例えば、トレーニング器具制御装置４ａは、第１トレッドミル５ａに関連付けられており、ユーザＵ１に対応する第１トレッドミル５ａ用のトレーニングプログラムを用いて第１トレッドミル５ａを制御するように構成されている。同様に、トレーニング器具制御装置４ｂは、第２トレッドミル５ｂに関連付けられており、第２トレッドミル５ｂを制御するように構成されている。また、トレーニング器具制御装置４ｃは、エルゴメータ５ｃに関連付けられており、エルゴメータ５ｃを制御するように構成されている。また、トレーニング器具制御装置４は、トレーニング器具５に通信可能に接続されており、トレーニング器具５の付近に配置されている。
例えば、トレーニング器具制御装置４ａは、第１トレッドミル５ａに通信可能に接続されており、第１トレッドミル５ａの付近に配置されている。尚、トレーニング器具制御装置４は、トレーニング器具５に内蔵されていてもよい。トレーニング器具制御装置４及びトレーニング器具５には、入力操作部（マウスやボタン等）及び表示部（タッチディスプレイを含む）が適宜備えられていてもよい。
【００１９】
また、トレーニング器具制御装置４は、ユーザＵのバイタルデータ（例えば、血圧や血中酸素飽和度ＳｐＯ２）を取得した上で、当該取得されたバイタルデータをトレーニング管理サーバ２に送信してもよい。同様に、トレーニング器具５も、ユーザＵの上記バイタルデータを取得した上で、当該取得されたバイタルデータをトレーニング管理サーバ２に送信してもよい。本実施形態では、トレーニング器具５の一例としてトレッドミルとエルゴメータが挙げられているが、トレーニング器具の種類は特に限定されるものではない。
【００２０】
次に、図２を参照することで、トレーニング管理サーバ２のハードウェア構成について説明する。図２は、トレーニング管理サーバ２のハードウェア構成を示す図である。図２に示すように、トレーニング管理サーバ２は、制御部２０と、記憶装置２１と、入力操作部２２と、ネットワークインターフェース２３と、表示部２４とを備える。これらは、バス２５を介して互いに通信可能に接続されている。
【００２１】
制御部２０は、トレーニング管理サーバ２の動作を制御するように構成されている。制御部２０は、メモリとプロセッサを備えている。メモリは、コンピュータ可読命令（プログラム）を記憶するように構成されており、例えば、各種プログラム等が格納されたＲＯＭ（Ｒｅａｄ  Ｏｎｌｙ  Ｍｅｍｏｒｙ）やプロセッサにより実行される各種プログラム等が格納される複数ワークエリアを有するＲＡＭ（Ｒａｎｄｏｍ  Ａｃｃｅｓｓ  Ｍｅｍｏｒｙ）等から構成される。プロセッサは、例えばＣＰＵ(Ｃｅｎｔｒａｌ  Ｐｒｏｃｅｓｓｉｎｇ  Ｕｎｉｔ)、ＭＰＵ（Ｍｉｃｒｏ  Ｐｒｏｃｅｓｓｉｎｇ  Ｕｎｉｔ）及び／又はＧＰＵ（Ｇｒａｐｈｉｃｓ  Ｐｒｏｃｅｓｓｉｎｇ  Ｕｎｉｔ）であって、ＲＯＭに組み込まれた各種プログラムから指定されたプログラムをＲＡＭ上に展開し、ＲＡＭとの協働で各種処理を実行するように構成されている。
【００２２】
特に、プロセッサは、本実施形態に係るトレーニング管理方法を実行するためのトレーニング管理プログラムをＲＡＭ上に展開し、ＲＡＭとの協働で当該プログラムを実行することで、制御部２０は、トレーニング管理サーバ２の各種動作を制御してもよい。制御部２０及びトレーニング管理プログラムの詳細については後述する。
【００２３】
記憶装置２１は、例えば、ＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）、ＵＳＢフラッシュメモリ等の記憶装置（ストレージ）であって、プログラムや各種データを格納するように構成されている。記憶装置２１には、トレーニング管理プログラムが組み込まれてもよい。また、記憶装置２１には、ユーザ情報管理テーブル（図３（ａ）参照）及びトレーニングプログラム管理テーブル（図３（ｂ）参照）が格納されてもよい。
【００２４】
図３（ａ）に示すように、ユーザ情報管理テーブルは、トレーニング器具５を利用する各ユーザＵのユーザＩＤと、ユーザ名と、性別と、年齢についての情報を含む。尚、図３（ａ）はあくまでも一例であり、ユーザ情報管理テーブルは、各ユーザＵの既往歴等の情報をさらに含んでいてもよい。ユーザ情報管理テーブルは、各ユーザＵが携帯する送信機３のチャンネル情報（送信機チャンネル）と、各ユーザＵが利用するトレーニング器具についての情報をさらに含む。ここで、例えば、ユーザＵ１がトレーニング施設（又はリハビリテーション施設）に入室する前では、ユーザＵ１のデータのうち送信機チャンネルのフィールドには、何ら値は書き込まれていない（ＮＵＬＬ）。さらに、ユーザＵ１がトレーニング器具の付近にいない場合には、ユーザＵ１のデータのうちトレーニング器具のフィールドには、何ら値は書き込まれていない（ＮＵＬＬ）。本実施形態では、ユーザＵ１のユーザＩＤは、ｘ００１である。ユーザＵ２のユーザＩＤは、ｘ００２である。ユーザＵ３のユーザＩＤは、ｘ００３である。従って、ユーザ情報管理テーブルの１〜３行目のレコードは、それぞれユーザＵ１〜Ｕ３のデータを示す。
【００２５】
図３（ｂ）に示すように、トレーニングプログラム管理テーブルは、各ユーザＵに対応する各トレーニング器具のトレーニングプログラムに関する情報を含む。例えば、ユーザＵ１（ユーザＩＤ：ｘ００１）に対応するエルゴメータのトレーニングプログラムは、３０ワット、２０分となり、ユーザＵ２（ユーザＩＤ：ｘ００２）に対するトレッドミルのトレーニングプログラムは、５ｋｍ/ｈ、３０分となる。トレーニングプログラム管理テーブルには、好適には以前のトレーニング実施時のトレーニングプログラムが入力されれば良い。図３（ｂ）に示す例では、ユーザＵ１（ユーザＩＤ：ｘ００１）に対応するエルゴメータの直近のトレーニングプログラムが３０ワットかつ２０分であったことが格納されている。尚、トレーニングプログラム管理テーブルは、直近の履歴のみを管理するのではなく、毎回のトレーニングプログラムの履歴を管理してもよい。またトレーニングプログラム管理テーブルは、各ユーザＵのトレーニングプログラムの履歴ではなく、医療従事者が明示的に指定した各ユーザＵのトレーニングプログラムを保持してもよい。すなわち、トレーニングプログラム管理テーブルは、各ユーザＵのトレーニングプログラムの指標を管理するものであれば良い。
【００２６】
入力操作部２２は、トレーニング管理サーバ２を操作する操作者（例えば、管理者Ａ）の入力操作を受付けると共に、当該入力操作に対応する操作信号を生成するように構成されている。入力操作部２２は、例えば、表示部２４上に重ねて配置されたタッチパネル、筐体に取り付けられた操作ボタン、マウス又はキーボード等である。入力操作部２２によって生成された操作信号は、バス２５を介して制御部２０に送信されて、制御部２０は、操作信号に応じて所定の処理を実行する。
【００２７】
ネットワークインターフェース２３は、トレーニング管理サーバ２を通信ネットワークに接続するように構成されている。具体的には、ネットワークインターフェース２３は、通信ネットワークを介して外部装置と通信するための各種有線接続端子や、無線接続のための各種処理回路を含んでおり、通信ネットワークを介して通信するための通信規格に適合するように構成されている。ここで、通信ネットワークは、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）又はインターネット等である。例えば、トレーニング管理プログラムは、通信ネットワーク上に配置されたコンピュータからネットワークインターフェース２３を介して取得されてもよい。また、ユーザＵのバイタルデータは、送信機３からネットワークインターフェース２３を介して取得されてもよい。送信機３は、アクセスポイントを介してトレーニング管理サーバ２に無線接続されてもよいし、アドホックモードによりトレーニング管理サーバ２に無線接続されてもよい。
【００２８】
表示部２４は、液晶ディスプレイ、有機ＥＬディスプレイ等の表示装置である。例えば、図５に示すバイタル情報管理画面１００が表示部２４（第２表示部）に表示される。特に、制御部２０は、ネットワークインターフェース２３を介して取得された各ユーザＵのバイタルデータ（心電図、心拍数、血圧、ＳｐＯ２等）に基づいて、バイタル情報管理画面１００を生成すると共に、バイタル情報管理画面１００を表示部２４に表示する。管理者Ａは、バイタル情報管理画面１００を見ることで、各ユーザＵの健康状態をリアルタイムに観察することができる。
【００２９】
次に、図４を参照することで本実施形態に係るトレーニング管理方法について説明する。図４は、本実施形態に係るトレーニング管理方法を説明するためのシーケンス図である。図４では、トレーニング管理サーバ２と、トレーニング器具制御装置４ａと、送信機３ａとの間における一連の処理が示されているが、当該一連の処理は、トレーニング管理サーバ２と、トレーニング器具制御装置４ｂ（又は４ｃ）と、送信機３ｂ（又は３ｃ）との間における処理と同様である点に留意されたい。
【００３０】
図４に示すように、ステップＳ１において、トレーニング管理サーバ２（制御部２０）は、ユーザＵ１と送信機３ａとを互いに関連付ける。例えば、ユーザＵ１がトレーニング施設に入室したとき、管理者Ａは、入力操作部２２を用いてユーザＵ１と送信機３ａを関連付けるための所定の入力操作を行う。ここで、所定の入力操作とは、ユーザＵ１のユーザＩＤと送信機３ａのチャンネル情報の双方を入力操作部２２を介して入力するようなものであってもよい。また、所定の入力操作とは、送信機３ａのチャンネル情報を図示しないトレーニング管理サーバ２のチャネルリーダ（図示せず）に読み取らせると共に、ユーザＩＤを入力操作部２２を介して入力する操作であってもよい。トレーニング管理サーバ２は、管理者Ａからの入力操作に従って、ユーザＵ１と送信機３ａとを互いに関連付ける。具体的には、制御部２０は、記憶装置２１に格納されたユーザ情報管理テーブル（図３（ａ）参照）において、ユーザＵ１（ユーザＩＤ：ｘ００１）が携帯する送信機のチャンネル情報をＣＨ１に設定する（換言すれば、制御部２０は、ユーザＵ１のデータのうち送信機チャンネルのフィールドにＣＨ１を書き込む）。このように、制御部２０は、ユーザ情報管理テーブルのうちユーザＵ１のデータを更新することで、ユーザＵ１と送信機３ａを互いに関連付けることができる。
【００３１】
次に、ステップＳ２において、トレーニング管理サーバ２（制御部２０）は、ユーザＵ１に対応する各トレーニング器具（エルゴメータ、トレッドミル、筋トレ器具）のトレーニングプログラムを決定する。トレーニング管理サーバ２は、ユーザＵ１の過去のトレーニング履歴に基づいて、ユーザＵ１に対応する各トレーニング器具のトレーニングプログラムを自動的に生成してもよい。例えば、トレーニング管理サーバ２は、トレーニンプログラム管理テーブルを参照してユーザＵ１の直近の運動履歴をトレーニングプログラムとして決定すればよい。またトレーニング管理サーバ２は、トレーニンプログラム管理テーブルを参照してユーザＵ１の直近１０回のトレーニングプログラムの平均値を新たなトレーニングプログラムとして決定してもよい。この場合、トレーニングプログラムが自動的に生成されるので、トレーニングプログラムを手動で設定する手間を省くことが可能となる。
【００３２】
各ユーザＵに対応する各トレーニング器具のトレーニングプログラムは、記憶装置２１に格納されたトレーニングプログラム管理テーブル（図３（ｂ）参照）に書き込まれる。また、管理者Ａがトレーニングプログラムを決定してもよい。この場合、制御部２０は、管理者Ａからの入力操作に従って、トレーニングプログラム管理テーブルの内容を更新する。
【００３３】
ユーザＵ１によって携帯された送信機３ａは、所定の時間間隔で第１のチャンネル（ＣＨ１）の無線信号（識別信号）を出力している。従って、ユーザＵ１が第１トレッドミル５ａを使用するために第１トレッドミル５ａに近づいた場合、トレーニング器具制御装置４ａは、送信機３ａから第１のチャンネルの無線信号を受信する（ステップＳ３）。具体的には、送信機３ａから出力される無線信号の強度が所定の強度以上となった場合、トレーニング器具制御装置４ａは、送信機３から出力される無線信号を受信することができる。このように、送信機３ａから出力された無線信号の強度が措定の強度以上となるまでユーザＵ１が第１トレッドミル５ａに近づいた場合、トレーニング器具制御装置４ａは、送信機３ａから第１のチャンネルの無線信号を受信する。
【００３４】
次に、トレーニング器具制御装置４ａは、第１のチャンネル（ＣＨ１）を示す情報（送信機３ａの識別情報）と第１トレッドミル５ａの識別情報（例えば、第１トレッドミル５ａのＩＤ）をトレーニング管理サーバ２に送信する（ステップＳ４）。例えば、送信機３ａから送信された無線信号の強度が、所定期間の間、所定の値よりも強い場合、トレーニング器具制御装置４ａは、第１のチャンネルを示す情報と第１トレッドミル５ａの識別情報をトレーニング管理サーバ２に送信する。
【００３５】
尚、トレーニング器具制御装置４ａは、送信機３ａから第１のチャンネルの無線信号を受信することで、第１のチャンネルを示す情報を認識しているが、トレーニング器具制御装置４ａは、他の手法により第１のチャンネルを示す情報を認識してもよい。例えば、トレーニング器具制御装置４ａの入力操作部に対するユーザＵ１からの入力操作に従って、トレーニング器具制御装置４ａは、第１のチャンネルを示す情報を認識してもよい。つまり、ユーザＵ１が送信機３ａのチャンネル（第１チャンネル）を示す情報をトレーニング器具制御装置４ａに入力することで、トレーニング器具制御装置４ａは、第１のチャンネルを示す情報を認識してもよい。
【００３６】
次に、トレーニング管理サーバ２は、第１のチャンネルを示す情報と第１トレッドミル５ａの識別情報を受信した上で、受信した第１のチャンネルを示す情報と第１トレッドミル５ａの識別情報に基づいて、ユーザＵ１と第１トレッドミル５ａとを関連付ける（ステップＳ５）。具体的には、制御部２０は、第１のチャンネルを示す情報と、第１トレッドミル５ａの識別情報と、記憶装置２１に格納されたユーザ情報管理テーブルとに基づいて、第１トレッドミル５ａを利用するユーザがユーザＵ１であると決定する。その後、制御部２０は、ユーザ情報管理テーブルにおいて、ユーザＵ１が利用するトレーニング器具を第１トレッドミルに設定する（換言すれば、制御部２０は、ユーザＵ１のデータのうちトレーニング器具のフィールドに第１トレッドミルを書き込む）。このように、制御部２０は、ユーザ情報管理テーブルのうちユーザＵ１のデータを更新することで、ユーザＵ１と第１トレッドミル５ａを互いに関連付けることができる。
【００３７】
次に、トレーニング管理サーバ２は、記憶装置２１に格納されたトレーニングプログラム管理テーブルを参照することで、ユーザＵ１に対応する第１トレッドミル５ａのトレーニングプログラム（６ｋｍ/ｈ，２０分）を決定した上で、当該決定されたトレーニングプログラムをトレーニング器具制御装置４ａに送信する（ステップＳ６）。
【００３８】
次に、トレーニング器具制御装置４ａは、トレーニング管理サーバ２から受信したトレーニングプログラムを用いて第１トレッドミル５ａを制御する（ステップＳ７）。具体的には、トレーニング器具制御装置４ａは、第１トレッドミル５ａの速度を６ｋｍ/ｈに設定すると共に、第１トレッドミル５ａの動作時間を２０分に設定する。
【００３９】
その後、トレーニング器具制御装置４ａは、ユーザＵ１が第１トレッドミル５ａの使用を終了したかどうかを判定する（ステップＳ８）。トレーニング器具制御装置４ａは、ユーザＵ１が第１トレッドミル５ａの使用を終了したと判定した場合（ステップＳ８でＹＥＳ）、ユーザＵ１が第１トレッドミル５ａの使用を終了したことを示すトレーニング終了信号を生成した上で、当該トレーニング終了信号をトレーニング管理サーバ２に送信する（ステップＳ９）。
【００４０】
トレーニング管理サーバ２は、トレーニング終了信号を受信した上で、当該トレーニング終了信号に応じてユーザＵ１と第１トレッドミル５ａとの関連付けを解除する（ステップＳ１０）。具体的には、制御部２０は、ユーザ情報管理テーブルにおいて、ユーザＵ１のデータのうちトレーニング器具のフィールドから第１トレッドミルを削除する。このように、制御部２０は、ユーザ情報管理テーブルのうちユーザＵ１のデータを更新することで、ユーザＵ１と第１トレッドミル５ａとの関連付けを解除することができる。
【００４１】
尚、ステップＳ８の処理の具体例としては、ユーザＵ１が第１トレッドミル５ａの使用を終了するための所定の操作（例えば、第１トレッドミル５ａを終了するための終了ボタンを押す等）を実行した場合、トレーニング器具制御装置４ａは、ユーザＵ１が第１トレッドミル５ａの使用を終了したと判定した上で、トレーニング終了信号を生成してもよい。この場合、ユーザＵ１による所定の操作に応じてユーザＵ１と第１トレッドミル５ａとの関連付けが自動的に切り離されるので、第１トレッドミル５ａを使用するユーザＵ１の利便性を向上させることができる。
【００４２】
また、送信機３ａから送信された無線信号の強度が、所定期間の間、所定の強度よりも弱い場合に、トレーニング器具制御装置４ａは、ユーザＵ１が第１トレッドミル５ａの使用を終了したと判定した上で、トレーニング終了信号を生成してもよい。または、送信機３ａから送信された無線信号の強度が所定の強度よりも弱くなった瞬間に、トレーニング器具制御装置４ａは、ユーザＵ１が第１トレッドミル５ａの使用を終了したと判定してもよい。ここで、ユーザＵ１と第１トレッドミル５ａとの間の距離が大きくなる程、送信機３ａからトレーニング器具制御装置４ａに送信される無線信号の強度は小さくなるはずである。このように、ユーザＵ１が第１トレッドミル５ａの使用を終了するための所定の操作をせずに、第１トレッドミル５ａから離れた場合においても、ユーザＵ１と第１トレッドミル５ａとの関連付けが自動的に切り離される。このように、第１トレッドミル５ａがユーザＵ１によって占有され続ける状況が回避されるので、ユーザＵの利便性を向上させることができる。
【００４３】
また、第１トレッドミル５ａのトレーニングプログラムが終了してから一定時間が経過した場合に、トレーニング器具制御装置４ａは、トレーニング終了信号を生成してもよい。この場合であっても、ユーザＵ１と第１トレッドミル５ａとの関連付けが自動的に切り離されるので、ユーザＵの利便性を向上させることができる。
【００４４】
本実施形態によれば、ユーザＵ１が第１トレッドミル５ａを使用する場合、ユーザＵ１と第１トレッドミル５ａとがトレーニング管理サーバ２によって自動的に関連付けられる。このため、トレーニング管理サーバ２を管理する管理者Ａは、ユーザＵ１と第１トレッドミル５ａとを手動で関連付ける必要がない。さらに、ユーザＵ１が現在使用している第１トレッドミル５ａから別のトレーニング器具（例えば、筋トレ器具）に変更する場合において、管理者Ａへの連絡なしに、ユーザＵ１と別のトレーニング器具が自動的に関連付けられる。このように、トレーニング器具を使用するユーザ及び／又は管理者の利便性を向上させることが可能なトレーニング管理システム１を提供することができる。また、ユーザとトレーニング器具との関連付けがトレーニング管理サーバ２により自動的に行われるため、ユーザとトレーニング器具との関連付けを素早く且つ確実に行うことが可能となる。このため、各ユーザのトレーニング管理を容易に且つ確実に行うことができるので、ユーザ及び／又は管理者による作業負担を大幅に減らすことが可能となる。
【００４５】
また、本実施形態によれば、ユーザＵ１が第１トレッドミル５ａを使用する場合、トレーニング器具制御装置４ａは、ユーザＵ１に対応する第１トレッドミル５ａのトレーニングプログラムを用いて第１トレッドミル５ａを制御する。このように、トレーニング器具のトレーニングプログラムが自動的にユーザに最適なトレーニングプログラムに設定されるので、トレーニング器具を使用するユーザの利便性を向上させることができる。
【００４６】
また、本実施形態によれば、ユーザＵ１が第１トレッドミル５ａの使用を終了した場合、ユーザＵ１と第１トレッドミル５ａとの関連付けが自動的に切り離されるので、別のユーザが第１トレッドミル５ａを直ぐに使用できると共に、別のユーザと第１トレッドミル５ａが自動的に関連付けられる。このように、ユーザは、トレーニング器具の使用が終了する度に、管理者Ａにその旨を連絡する必要がないので、トレーニング器具を使用するユーザの利便性を向上させることができる。
【００４７】
また、本実施形態によれば、各ユーザＵのバイタルデータがトレーニング管理サーバ２に送信されるので、トレーニング器具５を使用するユーザＵのバイタルデータをトレーニング管理サーバ２や通信ネットワーク上の所定のサーバに蓄積することが可能となると共に、管理者Ａ（医療従事者）は、バイタルデータを用いて各ユーザＵの健康状態をリアルタイムに観察することができる。
【００４８】
また、本実施形態によれば、トレーニング器具制御装置４がトレーニング器具５の付近に配置されているので、トレーニング器具５とトレーニング器具５を使用するユーザＵとを確実に関連付けることが可能となる。
【００４９】
次に、第１トレッドミル５ａの周辺に複数のユーザＵ（ユーザＵ１、Ｕ２、Ｕ３）が存在した場合に、図４に示すステップＳ４の処理がどのように実行されるかについて以下に説明する。
【００５０】
（第１の例）
最初に、トレーニング器具制御装置４ａは、送信機３ａから送信された第１のチャンネル（ＣＨ１）の無線信号と、送信機３ｂから送信された第２のチャンネル（ＣＨ２）の無線信号と、送信機３ｃから送信された第３のチャンネル（ＣＨ３）の無線信号とをそれぞれ受信する（ステップＳ３）。次に、トレーニング器具制御装置４ａは、受信した第１のチャンネルの無線信号、第２のチャンネルの無線信号及び第３のチャンネルの無線信号のうち、最も強度の強い無線信号を選択する。ここで、ユーザＵ２が第１トレッドミル５ａから最も近くに存在すると仮定すると、第２チャンネルの無線信号の強度が一番強くなる。この場合、トレーニング器具制御装置４ａは、最も強度が強い第２のチャンネルの無線信号を選択した上で、第２のチャンネル（ＣＨ２）を示す情報（送信機３ｂの識別情報）と第１トレッドミル５ａの識別情報をトレーニング管理サーバ２に送信する（ステップＳ４）。
【００５１】
このように、第１トレッドミル５ａ（トレーニング器具制御装置４ａ）の周辺に複数のユーザＵが存在した場合でも、トレーニング器具制御装置４ａ（又は、第１トレッドミル５ａ）に最も近いユーザＵ２が第１トレッドミル５ａに自動的に関連付けられる。従って、トレーニング器具５から離れた場所にいるユーザＵがトレーニング器具５と自動的に関連付けられる状況を防ぐことが可能となる。
【００５２】
（第２の例）
最初に、トレーニング器具制御装置４ａは、トレーニング管理サーバ２から複数のユーザＵと複数の送信機３との間の関連性を示す情報（図３（ａ）に示すユーザ情報管理テーブル）を受信する。次に、トレーニング器具制御装置４ａは、送信機３ａから送信された第１のチャンネル（ＣＨ１）の無線信号と、送信機３ｂから送信された第２のチャンネル（ＣＨ２）の無線信号と、送信機３ｃから送信された第３のチャンネル（ＣＨ３）の無線信号とをそれぞれ受信する（ステップＳ３）。その後、トレーニング器具制御装置４ａは、第１のチャンネル（ＣＨ１）を示す情報と、第２のチャンネル（ＣＨ２）を示す情報と、第３のチャンネルを示す情報（ＣＨ３）と、ユーザ情報管理テーブルとに基づいて、第１トレッドミル５ａの付近に存在するユーザＵ１，Ｕ２，Ｕ３を特定する。次に、トレーニング器具制御装置４ａは、第１トレッドミル５ａに設置された表示部（第１表示部）にユーザＵ１，Ｕ２，Ｕ３に関する情報（例えば、ユーザ名等）を表示させる。ここで、ユーザＵ１，Ｕ２，Ｕ３に関する情報が第１トレッドミル５ａの表示部に表示された状態で、ユーザＵ２がユーザＵ２を選択するための所定の操作を第１トレッドミル５ａに対して行ったと仮定する。この場合、トレーニング器具制御装置４ａは、ユーザＵ２からの所定の操作に応じて、第２のチャンネル（ＣＨ２）を示す情報（ユーザＵ２によって携帯された送信機３ｂの識別情報）を選択する。その後、トレーニング器具制御装置４ａは、第２のチャンネルを示す情報と第１トレッドミル５ａの識別情報をトレーニング管理サーバ２に送信する（ステップＳ４）。
【００５３】
このように、第１トレッドミル５ａ（トレーニング器具制御装置４ａ）の周辺に複数のユーザＵが存在した場合でも、複数のユーザＵに関する情報が表示部に表示されるので、トレーニング器具制御装置４ａは、ユーザＵからの選択操作に従って第１トレッドミル５ａを使用するユーザＵを特定することができる。従って、トレーニング器具５を使用するユーザＵとトレーニング器具５とを確実に関連付けることが可能となる。尚、ユーザＵ１，Ｕ２，Ｕ３に関する情報を表示するための表示部は、トレーニング器具制御装置４ａに設置されてもよい。
【００５４】
（第３の例）
第３の例は、「トレーニング器具制御装置４がユーザの操作（上述の例では表示部に情報が表示された状態での選択操作）に応じて、複数のトレーニング器具５の識別情報のうちの一つを送信する」という点では第２の例と共通する（詳細は後述）。第３の例では、トレーニング器具制御装置４が表示する情報がチャネルを示す情報である点が第２の例と異なる（第２の例では図３（ａ）に示すユーザ情報管理テーブル）。以下、第３の例について説明する。
【００５５】
最初に、トレーニング器具制御装置４ａは、送信機３ａから送信された第１のチャンネル（ＣＨ１）の無線信号と、送信機３ｂから送信された第２のチャンネル（ＣＨ２）の無線信号と、送信機３ｃから送信された第３のチャンネル（ＣＨ３）の無線信号とをそれぞれ受信する（ステップＳ３）。次に、トレーニング器具制御装置４ａは、第１トレッドミル５ａに設置された表示部（第１表示部）にチャンネル（ＣＨ１，ＣＨ２，ＣＨ３）を示す情報（送信機３に関する情報）を表示させる。ここで、チャンネルに関する情報が第１トレッドミル５ａの表示部に表示された状態で、ユーザＵ２が第２のチャンネル（ＣＨ２）を選択するための所定の操作を第１トレッドミル５ａに対して行ったと仮定する。この場合、トレーニング器具制御装置４ａは、ユーザＵ２からの所定の操作に応じて、第２のチャンネル（ＣＨ２）を示す情報（ユーザＵ２によって携帯された送信機３ｂの識別情報）を選択する。その後、トレーニング器具制御装置４ａは、第２のチャンネルを示す情報と第１トレッドミル５ａの識別情報をトレーニング管理サーバ２に送信する（ステップＳ４）。
【００５６】
このように、第１トレッドミル５ａ（トレーニング器具制御装置４ａ）の周辺に複数のユーザＵが存在した場合でも、複数のチャンネルに関する情報が表示部に表示されるので、トレーニング器具制御装置４ａは、ユーザＵからの選択操作に従って第１トレッドミル５ａを使用するユーザＵを特定することができる。従って、トレーニング器具５を使用するユーザＵとトレーニング器具５とを確実に関連付けることが可能となる。尚、ユーザＵ１，Ｕ２，Ｕ３に関する情報を表示するための表示部は、トレーニング器具制御装置４ａに設置されてもよい。
【００５７】
（第４の例）
第４の例では、ユーザ情報管理テーブルに示す全てのユーザＵに関する情報を第１トレッドミル５ａの表示部に表示する点で第２の例とは相違する。以下、第４の例について説明する。
最初に、トレーニング器具制御装置４ａは、トレーニング管理サーバ２から複数のユーザＵと複数の送信機３との間の関連性を示す情報（図３（ａ）に示すユーザ情報管理テーブル）を受信する。次に、トレーニング器具制御装置４ａは、送信機３ａから送信された第１のチャンネル（ＣＨ１）の無線信号と、送信機３ｂから送信された第２のチャンネル（ＣＨ２）の無線信号と、送信機３ｃから送信された第３のチャンネル（ＣＨ３）の無線信号とをそれぞれ受信する（ステップＳ３）。その後、トレーニング器具制御装置４ａは、第１トレッドミル５ａに設置された表示部（第１表示部）にユーザ情報管理テーブルに示された全てのユーザＵに関する情報（例えば、ユーザ名等）を表示させる。ここで、全てのユーザＵに関する情報が第１トレッドミル５ａの表示部に表示された状態で、ユーザＵ２がユーザＵ２を選択するための所定の操作を第１トレッドミル５ａに対して行ったと仮定する。この場合、トレーニング器具制御装置４ａは、ユーザＵ２からの所定の操作に応じて、第２のチャンネル（ＣＨ２）を示す情報（ユーザＵ２によって携帯された送信機３ｂの識別情報）を選択する。その後、トレーニング器具制御装置４ａは、第２のチャンネルを示す情報と第１トレッドミル５ａの識別情報をトレーニング管理サーバ２に送信する（ステップＳ４）。
【００５８】
トレーニング管理サーバ２が実行する処理をソフトウェアによって実現するためには、トレーニング管理プログラムが記憶装置２１又はＲＯＭに予め組み込まれていてもよい。または、トレーニング管理プログラムは、磁気ディスク（ＨＤＤ、フロッピーディスク）、光ディスク（ＣＤ−ＲＯＭ，ＤＶＤ−ＲＯＭ、Ｂｌｕ−ｒａｙディスク等）、光磁気ディスク（ＭＯ等）、フラッシュメモリ（ＳＤカード、ＵＳＢメモリ、ＳＳＤ等）等のコンピュータ読取可能な記憶媒体に格納されていてもよい。この場合、トレーニング管理サーバ２に設けられたディスクドライブ等によって記憶媒体に格納されたトレーニング管理プログラムが読み込まれることで、当該トレーニング管理プログラムが、記憶装置２１に組み込まれる。そして、記憶装置２１に組み込まれた当該プログラムがＲＡＭ上にロードされて、プロセッサがＲＡＭ上にロードされた当該プログラムを実行することで、図４に示すトレーニング管理サーバ２の処理を実行する。
【００５９】
また、トレーニング管理プログラムは、通信ネットワーク上のコンピュータからネットワークインターフェース２３を介してダウンロードされてもよい。この場合も同様に、ダウンロードされた当該プログラムが記憶装置２１に組み込まれる。
【００６０】
以上、本発明の実施形態について説明をしたが、本発明の技術的範囲が本実施形態の説明によって限定的に解釈されるべきではない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【符号の説明】
【００６１】
１：トレーニング管理システム
２：トレーニング管理サーバ
３，３ａ，３ｂ，３ｃ：送信機
４，４ａ，４ｂ，４ｃ：トレーニング器具制御装置
５：トレーニング器具
５ａ：第１トレッドミル
５ｂ：第２トレッドミル
５ｃ：エルゴメータ
２０：制御部
２１：記憶装置
２２：入力操作部
２３：ネットワークインターフェース
２４：表示部
２５：バス
１００：バイタル情報管理画面
【図１】
2018081362.tif 000003
【図２】
2018081362.tif 000004
【図３】
2018081362.tif 000005
【図４】
2018081362.tif 000006
【図５】
2018081362.tif 000007